(57)【要約】【課題】入力端子の順次切り換えが可能な電子機器において、連続する入力端子の切り換えに要する時間を短縮する。【解決手段】複数の入力端子を備えるテレビジョン受像機１００において、複数の入力端子９１ａ〜９１ｇへの切り換えを指示する入力切換キー１ｅを備え、選択手段は、入力切換キー１ｅが操作される度に、複数の入力端子９１ａ〜９１ｇを所定の順序に従って順に選択し、計時手段は、入力切換キー１ｅが操作されてからの経過時間を計時し、切換手段は、計時手段により計時される経過時間が所定時間を超えた場合、選択手段により選択された入力端子９１に切り換える。【選択図】図３
2009177693.tif 000002
【特許請求の範囲】
【請求項１】
複数の入力端子を備える電子機器において、
前記複数の入力端子への切り換えを指示する入力切換キーと、
前記入力切換キーが操作される度に、前記複数の入力端子を、所定の順序に従って順に選択する選択手段と、
前記入力切換キーが操作されてからの経過時間を計時する計時手段と、
前記計時手段により計時される前記経過時間が所定時間を超えた場合、前記選択手段により選択された入力端子に切り換える切換手段と、
を備えることを特徴とする電子機器。
【請求項２】
前記選択手段により選択された入力端子に関する情報を表示部に表示させる表示手段を備えることを特徴とする請求項１に記載の電子機器。
【請求項３】
複数の数字キーと、
前記複数の数字キーと、当該複数の数字キーに割り当てられた前記複数の入力端子との対応関係を記憶する記憶手段と、
前記計時手段により計時される前記経過時間が所定時間を経過する前に前記数字キーが操作された場合、前記記憶手段に基づいて、操作された数字キーに対応する入力端子に切り換える第２切換手段と、
を備えることを特徴とする請求項１又は２に記載の電子機器。
【請求項４】
複数の入力端子を備える電子機器において、
前記複数の入力端子への切り換えを指示する入力切換キーと、
複数の数字キーと、
前記複数の数字キーと、当該複数の数字キーに割り当てられた前記複数の入力端子との対応関係を記憶する記憶手段と、
前記入力切換キーが操作される度に、前記複数の入力端子を、所定の順序に従って順に選択する選択手段と、
前記選択手段により選択された入力端子に関する情報を表示部に表示させる表示手段と、
前記入力切換キーが操作されてからの経過時間を計時する計時手段と、
前記計時手段により計時される前記経過時間が所定時間を超えた場合、前記選択手段により選択された入力端子に切り換える第１切換手段と、
前記計時手段により計時される前記経過時間が所定時間を経過する前に前記数字キーが操作された場合、前記記憶手段に基づいて、操作された数字キーに対応する入力端子に切り換える第２切換手段と、
を備えることを特徴とする電子機器。
【発明の詳細な説明】
【技術分野】
【０００１】
本発明は、複数の入力端子への順次切り換えが可能な電子機器に関する。
【背景技術】
【０００２】
複数の入力端子が搭載されたテレビジョン受像機等の電子機器では、入力切換キーを押下することで、予め定められた順序に従って入力端子を順次切り換えていく方法が広く用いられている。
ところが、入力切換キーを用いた従来の順次切換方法では、入力切換キーの押下に対して、即座に入力切換処理が起動される。そのため、キーを押下する度に、入力切換処理が完了して次回のキー受付が可能な状態となるまで、キーの受付を禁止する期間が発生することとなる。例えば、従来の順次切換方法で、所定の順序に従って「ＲＦ（テレビジョン放送）」→「ビデオ（外部入力）１」→「ビデオ（外部入力）２」→「ビデオ（外部入力）３」と順次切り換えていく場合、「ＲＦ」から「ビデオ１」への遷移、「ビデオ１」から「ビデオ２」への遷移に際して、入力切換処理が完了するまで次の入力切換キーの受け付けが禁止される。その結果、目的の入力端子に切り換えるまでに時間的なロスが多く発生し、ユーザにストレスを与えていた。
【０００３】
そこで、例えば、特許文献１には、利用頻度高い順序や、視聴時間の長い順序で入力端子を切り換えることができるＡＶ機器が開示されている。
【特許文献１】特開平１１−２６１９０７号公報
【発明の開示】
【発明が解決しようとする課題】
【０００４】
しかしながら、特許文献１のＡＶ機器において、利用頻度の低い入力端子や視聴時間の短い入力端子に切り換える場合には、切り換え順序が後の方であるため、目的の入力端子に切り換えるまでにかえって時間がかかってしまうという問題があった。
【０００５】
本発明の課題は、入力端子の順次切り換えが可能な電子機器において、連続する入力端子の切り換えに要する時間を短縮することである。
【課題を解決するための手段】
【０００６】
上記課題を解決するため、請求項１に記載の発明は、複数の入力端子を備える電子機器において、
前記複数の入力端子への切り換えを指示する入力切換キーと、
前記入力切換キーが操作される度に、前記複数の入力端子を、所定の順序に従って順に選択する選択手段と、
前記入力切換キーが操作されてからの経過時間を計時する計時手段と、
前記計時手段により計時される前記経過時間が所定時間を超えた場合、前記選択手段により選択された入力端子に切り換える切換手段と、
を備えることを特徴とする。
【０００７】
請求項２に記載の発明は、請求項１に記載の電子機器において、前記選択手段により選択された入力端子に関する情報を表示部に表示させる表示手段を備えることを特徴とする。
【０００８】
請求項３に記載の発明は、請求項１又は２に記載の電子機器において、複数の数字キーと、
前記複数の数字キーと、当該複数の数字キーに割り当てられた前記複数の入力端子との対応関係を記憶する記憶手段と、
前記計時手段により計時される前記経過時間が所定時間を経過する前に前記数字キーが操作された場合、前記記憶手段に基づいて、操作された数字キーに対応する入力端子に切り換える第２切換手段と、
を備えることを特徴とする。
【０００９】
請求項４に記載の発明は、複数の入力端子を備える電子機器において、
前記複数の入力端子への切り換えを指示する入力切換キーと、
複数の数字キーと、
前記複数の数字キーと、当該複数の数字キーに割り当てられた前記複数の入力端子との対応関係を記憶する記憶手段と、
前記入力切換キーが操作される度に、前記複数の入力端子を、所定の順序に従って順に選択する選択手段と、
前記選択手段により選択された入力端子に関する情報を表示部に表示させる表示手段と、
前記入力切換キーが操作されてからの経過時間を計時する計時手段と、
前記計時手段により計時される前記経過時間が所定時間を超えた場合、前記選択手段により選択された入力端子に切り換える第１切換手段と、
前記計時手段により計時される前記経過時間が所定時間を経過する前に前記数字キーが操作された場合、前記記憶手段に基づいて、操作された数字キーに対応する入力端子に切り換える第２切換手段と、
を備えることを特徴とする。
【発明の効果】
【００１０】
本発明によれば、複数の入力端子を備える電子機器において、複数の入力端子への切り換えを指示する入力切換キーが備わり、選択手段により、入力切換キーが操作される度に、複数の入力端子が、所定の順序に従って順に選択され、計時手段により、入力切換キーが操作されてからの経過時間が計時され、切換手段により、計時手段により計時される経過時間が所定時間を超えた場合、選択手段により選択された入力端子に切り換えられる。
したがって、入力端子の順次切り換えが可能な電子機器において、入力切換キーを押下する度にキーの受付を禁止する期間が発生することがなくなるため、連続する入力端子の切り換えに要する時間が短縮されることとなる。
【発明を実施するための最良の形態】
【００１１】
以下、本発明の実施の形態を、図面を参照しながら説明する。なお、本発明の範囲は、図示例に限定されない。
本実施形態では、電子機器としてテレビジョン受像機を例に説明を行う。
【００１２】
図１は、本実施形態におけるテレビジョン受像機１００の全体構成を例示する図である。
本実施形態のテレビジョン受像機１００は、例えば、ユーザが各種指示を入力するリモコン装置１と、このリモコン装置１により遠隔操作される本体部２と、を備えて構成されている。
本体部２には、各種の外部機器３ａ〜３ｇが各種ケーブルにより接続されており、各外部機器３ａ〜３ｇからの外部入力がケーブルを介して本体部２に入力される。外部機器３ａ〜３ｇは、例えば、ＤＶＤ（Digital Versatile Disc）プレーヤ、ＤＶＤレコーダ、Ｄ−ＶＨＳ（Data Video Home System）ビデオデッキ、パソコン（Personal Computer）、ゲーム機、ＢＳ(Broadcasting Satellite)／ＣＳ(Communication Satellite)チューナ等である。
【００１３】
図２は、リモコン装置１の平面図である。
図２に示すように、リモコン装置１は、ユーザが本体部２に対して各種指示を入力するための複数のキーを備えている。複数のキーは、例えば、電源キー１ａ、各キーに１〜１２の数字が割り当てられた１２個の数字キー１ｂ、メニューキー１ｃ、ＥＰＧ（電子番組ガイド: Electric Program Guide）表示キー１ｄ、入力切換キー１ｅ、音声切換キー１ｆ、リターンキー１ｇ、カーソルキー１ｈ、決定キー１ｉ、ボリュームアップ／ダウンキー１ｊ、チャンネルアップ／ダウンキー１ｋ等である。
リモコン装置１に備わるこれらのキーの各々には予め識別情報が割り当てられ、所定の記憶領域に記憶されている。そして、キー操作が行われると、操作されたキーに割り当てられた識別情報に応じて、操作されたキーに対応するリモコン信号が生成される。生成されたリモコン信号は、図示しない送信部から送信され、本体部２の前面パネル等に設けられたリモコン信号受光部４において受信される。
【００１４】
図３は、テレビジョン受像機１００の要部構成を例示するブロック図である。
図３に示すように、本体部２は、リモコン装置１からのリモコン信号を受信するリモコン信号受光部４、テレビジョン放送局から送信される放送信号を受信するアンテナ５、アンテナ５により受信された放送信号から希望チャンネルの放送信号を選局するチューナ６、チューナ６により選局された放送信号を復調する復調部７、復調部７により復調された放送信号を複数のデータに分離してデコードするデコーダ部８、外部機器３ａ〜３ｇを接続するための複数の入力端子９１ａ〜９１ｇを備える入力端子部９、チューナ６からの放送信号又は外部機器３ａ〜３ｇからの各外部入力の何れかに切り換える切換部１０、切換部１０から入力される映像信号に対して所定の映像処理を行う映像処理部１１、切換部１０から入力される音声信号に対して所定の音声処理を行う音声処理部１２、映像処理部１１により処理された映像信号にＯＳＤデータを付加するＯＳＤ回路１３、映像処理部１１により処理された映像信号を出力する表示部１４、音声処理部１２により処理された音声信号を出力する音声出力部１５、テレビジョン受像機１００全体を統括制御する制御部１６等を備えており、各部はバスにより接続されている。
【００１５】
リモコン信号受光部４は、例えば、図示は省略するが、フォトダイオード、ＳＵＢＣＰＵ、増幅部、復調部、デコーダ等を備えて構成されており、リモコン装置１から送信されたリモコン信号を、本体部２の前面パネル等に設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１６に対して出力する。制御部１６では、入力されたリモコン信号から識別情報を取得し、取得した識別情報に基づいて操作されたキーの判別を行う。
【００１６】
アンテナ５は、例えば、屋外において所定の方向に向けて配置され、テレビジョン放送局からの高周波の放送信号を受信する。
チューナ６は、例えば、アンテナ５により入力された高周波の放送信号の中から特定周波数帯の信号を抽出して増幅し、局部発振器及びミキサにより周波数変換する。更に、特定周波数帯の信号を抽出して、低周波信号に変換した後にＡＤ変換等を行い、復調部７に出力する。
復調部７は、例えば、制御部１６からの制御に基づいて、チューナ６において選局されたチャンネルの信号に対して復調や誤り訂正などの処理を実行し、分離部８１に出力する。
【００１７】
デコーダ部８は、例えば、分離部（Demultiplexer）８１、ビデオデコーダ８２、オーディオデコーダ８３、データデコーダ８４等を備えて構成されている。
分離部８１は、復調部７から入力される放送信号をビデオデータ、オーディオデータ、ＰＳＩ（Program Specific Information:番組特定情報）、ＳＩ（Service Information: 番組配列情報）等の複数のストリームに分離する。ＣＰＵ１６１は、ＰＳＩと各ＴＳパケットが有するＰＩＤに基づいて、必要なＴＳパケットを取得して、ＭＰＥＧ２（Moving Picture Experts Group 2）規格下のビデオストリームをビデオデコーダ８２に、オーディオストリームをオーディオデコーダ８３に、さらに、必要なＳＩをデータデコーダ８４に出力する。
ビデオデコーダ８２は、分離部８１から入力されたビデオストリームに対して、可変長復号化、逆量子化、逆ＤＣＴ、動き補正等の各種処理を行うことで、ビデオストリームをＤＴＳ(Decoding Time Stamp)に応じたタイミングでデコードし、映像データを生成して切換部１０を介して映像処理部１１に出力する。
オーディオデコーダ８３は、分離部８１から入力されたオーディオストリームをデコードし、音声データを生成して切換部１０を介して音声処理部１２に出力する。
データデコーダ８４は、分離部８１から入力された字幕データ、ＳＩ等をデコードし、制御部１６、ＯＳＤ回路１３等に出力する。制御部１６に入力されたＳＩは、ＥＰＧ情報として図示しないＥＰＧメモリに格納されることとなる。
【００１８】
入力端子部９は、例えば、本体部２の前面部や背面部等に設けられており、各種外部機器３ａ〜３ｇを接続するための複数の入力端子９１ａ〜９１ｇを備える。各入力端子９１ａ〜９１ｇには外部機器３ａ〜３ｇと本体部２とを繋ぐケーブルが接続され、外部機器３ａ〜３ｇから本体部２に入力される映像・音声信号を受信する。
入力端子部９に備わる複数の入力端子９１ａ〜９１ｇは、例えば、輝度信号と色差信号を合成して伝送するコンポジット端子９１ａ、９１ｂ、輝度信号と２つの色差信号（B-Y色差信号・R-Y色信号）を１本のケーブルで別々に伝送するＤ映像端子９１ｃ、９１ｄ、映像信号・音声信号・制御信号の非圧縮デジタル信号を１本のケーブルで伝送するＨＤＭＩ（High Definition Multimedia Interface）端子９１ｅ、９１ｆ、ＰＣ（Personal Computer）からの信号を伝送するＰＣ端子９１ｇ、各映像端子に対応する音声端子（図示省略）等である。
【００１９】
切換部１０は、後述する第１切換プログラム１６５ｄ又は第２切換プログラム１６５ｅの実行における制御部１６からの切換指示に応じて、チューナ６からのテレビジョン放送信号とテレビジョン受像機１００に接続された各外部機器３ａ〜３ｇからの外部入力とのうちから何れかに入力を切り換える。切換部１０における切換処理により入力された映像・音声信号は、必要な場合にはデコーダ部８を介して、後段の映像処理部１１、音声処理部１２等に出力される。
【００２０】
映像処理部１１は、切換部１０を介して入力された映像データに対して、当該映像データに応じた各種映像処理を施し、映像信号を生成する。生成された映像信号は、フレームメモリ（図示省略）に一旦格納された後に、ＰＴＳ(Presentation Time Stamp)に応じた再生タイミングで、表示部１４に出力される。
音声処理部１２は、切換部１０を介して入力された音声データに対して、当該映像データに応じた各種音声処理を施して音声信号を生成する。生成された音声信号はＰＴＳに応じた再生タイミングで、音声出力部１５に出力される。
ＯＳＤ回路１３は、制御部１６からの指示出力に応じてＯＳＤ表示用データを生成し、生成されたＯＳＤ表示用データを映像処理部１１から入力される映像信号に合成させ、表示部１４においてＯＳＤ表示を行う。
【００２１】
表示部１４は、例えば、ＬＣＤ（Liquid Crystal Display）、ＰＤＰ（Plasma Display Panel）、有機ＥＬ(Electro Luminescence)ディスプレイ等の図示しないディスプレイを備え、映像処理部１１から入力された映像信号に基づく映像を当該ディスプレイに表示させる。
音声出力部１５は、例えば、図示しないスピーカ等を備え、音声処理部１２から入力された音声信号に基づく音声を増幅して、スピーカにより出力させる。
【００２２】
制御部１６は、ＣＰＵ（Central Processing Unit）１６１、計時部１６２、ＲＡＭ（Random Access Memory）１６３等の揮発性メモリ、ＥＥＰＲＯＭ（Electrically Erasable Programmable ROM）１６４、ＲＯＭ（Read Only Memory）１６５等の不揮発性メモリを備えて構成されている。
【００２３】
ＣＰＵ１６１は、本体部２の各部から入力された入力信号や、リモコン装置１における各種キーの押下操作によって入力されたリモコン信号等に応じて、ＲＯＭ１６５に格納された各種プログラムを実行するとともに、実行にかかるプログラムに基づいて本体部２の各部に出力信号を出力することにより、テレビジョン受像機１００の動作全般を統括制御する。
【００２４】
計時部１６２は、後述する計時プログラム１６５ｃの実行において、入力切換キー１ｅが操作されてからの経過時間を計時する。これにより、計時部１６２は、計時プログラム１６５ｃとともに計時手段を構成する。
ＲＡＭ１６３は、ＣＰＵ１６１のワークエリアとして用いられ、ＣＰＵ１６１によって各種プログラムが実行される際に生じる処理結果や、入力されたデータ等を記憶する。
【００２５】
ＥＥＰＲＯＭ１６４は、例えば、リモコン装置１に備わる数字キー１ｂの各々と、入力端子部９に備わる各入力端子９１ａ〜９１ｇとの対応関係を記憶する対応メモリ１６４ａを備える。
図４は、対応メモリ１６４ａを例示する図である。ここでは、例えば、チューナ６への切り換えが「ＲＦ」とされ、入力端子９１ａ〜９１ｇへの切り換えが「ビデオ１」〜「ビデオ７」とされている。図４の対応メモリ１６４ａでは、チューナ６に数字キー１ｂ「０」が割り当てられているとともに、入力端子９１ａ〜９１ｇ（「ビデオ１」〜「ビデオ７」）に数字キー１ｂ「１」〜「７」が割り当てられている。
【００２６】
ＲＯＭ１６５は、不揮発性メモリから成るプログラム格納エリアを有しており、具体的には、選択プログラム１６５ａ、表示プログラム１６５ｂ、計時プログラム１６５ｃ、第１切換プログラム１６５ｄ、第２切換プログラム１６５ｅ等を記憶している。
【００２７】
選択プログラム１６５ａは、例えば、ＣＰＵ１６１に、入力切換キー１ｅが操作される度に、複数の入力端子９１ａ〜９１ｇを、所定の順序に従って順に選択する機能を実現させるためのプログラムである。
具体的には、リモコン装置１において入力切換キー１ｅが操作される度に、ＣＰＵ１６１は、当該操作により入力されるリモコン信号に基づいて、予め定められた順序に従って、チューナ６又は入力端子部９に備わる各入力端子９１ａ〜９１ｇを、「ＲＦ」→「ビデオ１」→「ビデオ２」→…→「ビデオ７」→「ＲＦ」→…のように、順に選択する。ここで、この選択プログラム１６５ａにおいて行われる「選択」とは、チューナ６からの入力及び複数の入力端子９１ａ〜９１ｇからの外部入力のうちから何れかを特定する処理を意味するものであり、切換部１０が行う実際の切り換え処理は含まれない。
ＣＰＵ１６１は、かかる選択プログラム１６５ａを実行することにより、選択手段として機能する。
【００２８】
表示プログラム１６５ｂは、例えば、ＣＰＵ１６１に、選択プログラム１６５ａの実行により選択された入力端子９１ａ〜９１ｇに関する情報を表示部１４に表示させる機能を実現させるためのプログラムである。
具体的には、ＣＰＵ１６１は、前述の選択プログラム１６５ａの実行により、予め定められた順序（「ＲＦ」→「ビデオ１」→「ビデオ２」→…→「ビデオ７」→「ＲＦ」→…）に従って、チューナ６又は入力端子部９に備わる各入力端子９１ａ〜９１ｇが順に選択されると、図５に示すように、表示部１４において、選択中の入力（チューナ６又は各入力端子９１ａ〜９１ｇの何れか）を示すＯＳＤ表示を行い、各時点で選択されている入力をユーザに報知する。
ＣＰＵ１６１は、かかる表示プログラム１６５ｂを実行することにより、表示手段として機能する。
【００２９】
計時プログラム１６５ｃは、例えば、ＣＰＵ１６１に、入力切換キー１ｅが操作されてからの経過時間を計時する機能を実現させるためのプログラムである。
具体的には、ユーザが、リモコン装置１に備わる入力切換キー１ｅを操作すると、ＣＰＵ１６１は、当該操作により入力されるリモコン信号に基づいて、前述のようにチューナ６又は入力端子部９に備わる各入力端子９１ａ〜９１ｇの中から何れか一を選択すると同時に、計時部１６２に計時指示を出力し、入力切換キー１ｅが操作されてからの経過時間を計時させる。そして、入力切換キー１ｅが新たに操作される度に、その都度、それまでに計時された経過時間をリセットして、入力切換キー１ｅが最後に操作されてからの経過時間を計時させる。
ＣＰＵ１６１は、かかる計時プログラム１６５ｃを実行することにより、計時手段として機能する。
【００３０】
第１切換プログラム１６５ｄは、例えば、ＣＰＵ１６１に、計時プログラム１６５ｃの実行により計時される経過時間が所定時間を超えた場合、選択プログラム１６５ａの実行により選択された入力端子９１ａ〜９１ｇに切り換える機能を実現させるためのプログラムである。
具体的には、ＣＰＵ１６１は、前述のように、計時プログラム１６５ｃの実行により入力切換キー１ｅが操作されてからの経過時間を計時部１６２に計時させる。それと同時に、計時部１６２により計時される経過時間が所定時間を超えるか否かを監視している。ここで、所定時間の長さは任意であり、例えば、０．５秒〜２秒の範囲で設定される。そして、計時部１６２において計時される、入力切換キー１ｅが操作されてからの経過時間が所定時間を超えた場合、ＣＰＵ１６１は、その時点で選択プログラム１６５ａの実行により選択されているチューナ６又は入力端子９１ａ〜９１ｇの何れかへの切り換えを指示する制御信号を切換部１０に対して出力し、当該チューナ６又は入力端子９１ａ〜９１ｇへ切り換える。
ＣＰＵ１６１は、かかる第１切換プログラム１６５ｄを実行することにより、切換部１０とともに第１切換手段（切換手段）として機能する。
【００３１】
第２切換プログラム１６５ｅは、例えば、ＣＰＵ１６１に、計時プログラム１６５ｃの実行により計時される経過時間が所定時間を経過する前に数字キー１ｂが操作された場合、対応メモリ１６４ａに基づいて、操作された数字キー１ｂに対応する入力端子９１ａ〜９１ｇに切り換える機能を実現させるためのプログラムである。
具体的には、ＣＰＵ１６１は、前述のように、計時プログラム１６５ｃの実行により入力切換キー１ｅが操作されてからの経過時間を計時部１６２に計時させ、同時に、計時部１６２により計時される経過時間が所定時間を超えるか否かを監視している。そして、計時部１６２において計時される、入力切換キー１ｅが操作されてからの経過時間が所定時間を超える前に、リモコン装置１において数字キー１ｂが操作された場合、ＣＰＵ１６１は、対応メモリ１６４ａを参照し、操作された数字キー１ｂに対応する入力端子９１を読み出して、読み出された入力端子９１への切り換えを指示する制御信号を切換部１０に対して出力して当該入力端子９１へ切り換える。
ＣＰＵ１６１は、かかる第２切換プログラム１６５ｅを実行することにより、切換部１０とともに第２切換手段として機能する。
【００３２】
ここで、本実施形態のテレビジョン受像機１００において行われる入力切換処理の具体例について説明する。
【００３３】
まず、入力切換キー１ｅを用いた入力切換処理の具体例について説明する。
例えば、チューナ６からの放送信号の受信中に、目的の入力端子９１ｃ「ビデオ３」に切り換える場合、ユーザは、初めに、リモコン装置１の入力切換キー１ｅを操作する。当該操作に基づいて、ＣＰＵ１６１は、予め定められた順序におけるチューナ６「ＲＦ」の次の入力端子９１ａ「ビデオ１」を選択し、当該入力端子９１ａを選択中であることを示すＯＳＤ表示を表示部１４に行うとともに、入力切換キー１ｅが操作されてからの経過時間を計時部１６２に計時させる。
続いて、ユーザは、前回の入力切換キー１ｅの操作から所定時間が経過する前に、再び入力切換キー１ｅを操作する。当該操作に従って、ＣＰＵ１６１は、現在選択中の入力端子９１ａ「ビデオ１」の次の入力端子９１ｂ「ビデオ２」を選択し、当該入力端子９１ｂ「ビデオ２」を選択中であることを示すＯＳＤ表示を行うとともに、計時部１６２により計時された経過時間をリセットして、再び、入力切換キー１ｅが最後に操作されてからの経過時間を計時部１６２に計時させる。
更に続いて、ユーザは、前回の入力切換キー１ｅの操作から所定時間が経過する前に、再び入力切換キー１ｅを操作する。当該操作に従って、ＣＰＵ１６１は、現在選択中の入力端子９１ｂ「ビデオ２」の次の入力端子９１ｃ「ビデオ３」を選択し、当該入力端子９１ｃ「ビデオ３」を選択中であることを示すＯＳＤ表示を行うとともに、計時部１６２により計時された経過時間をリセットして、再び、入力切換キー１ｅが最後に操作されてからの経過時間を計時部１６２に計時させる。
そして、ユーザは、目的の入力端子９１ｃ「ビデオ３」が選択された状態で、最後の入力切換キー１ｅの操作から所定時間が経過するまで待機する。ＣＰＵ１６１は、最後の操作から入力切換キー１ｅ又は数字キー１ｂが操作されないまま所定時間が経過すると、切換部１０に、その時点で選択されている入力端子９１ｃ「ビデオ３」に切り換える処理を実行させる。
【００３４】
即ち、例えば、チューナ６からの放送信号の受信中に目的の入力端子９１ｃ「ビデオ３」に切り換える場合、ユーザは、入力切換キー１ｅを所定時間以内の間隔で連続して操作して目的の入力端子９１ｃ「ビデオ３」を選択させるとともに、目的の入力端子９１ｃ「ビデオ３」が選択された状態で所定時間待機すれば、目的の入力端子９１ｃ「ビデオ３」に切り換えることができる。したがって、目的の入力端子以外の入力端子への切り換えに伴う時間的なロスが無くなり、目的の入力端子への切り換えにかかる時間を短縮することができる。
【００３５】
次に、入力切換キー１ｅと数字キー１ｂとを用いた入力切換処理の具体例について説明する。
例えば、チューナ６から放送信号の受信中に、目的の入力端子９１ｇ「ビデオ７」に切り換える場合、ユーザは、リモコン装置１の入力切換キー１ｅを操作する。当該操作に基づいて、ＣＰＵ１６１は、予め定められた順序におけるチューナ６「ＲＦ」の次の入力端子９１ａ「ビデオ１」を選択し、当該入力端子９１ａを選択中であることを示すＯＳＤ表示を表示部１４に行うとともに、入力切換キー１ｅが操作されてからの経過時間を計時部１６２に計時させる。
続いて、ユーザは、前回の入力切換キー１ｅの操作から所定時間が経過する前に、目的の入力端子９１ｇ「ビデオ７」に対応付けられた数字キー１ｂ「７」を操作する。当該数字キー１ｂ「７」の操作に従って、ＣＰＵ１６１は、対応メモリ１６４ａを参照し、切換部１０に、操作された数字キー１ｂ「７」に対応付けられた入力端子９１ｇ「ビデオ７」に切り換える処理を実行させる。
【００３６】
即ち、例えば、チューナ６からの放送信号の受信中に目的の入力端子９１ｇ「ビデオ７」に切り換える場合、ユーザは、入力切換キー１ｅを一回操作するとともに、当該操作から所定時間が経過する前に、目的の入力端子９１ｇ「ビデオ７」に対応する数字キー１ｂ「７」を押下すれば、目的の入力端子９１ｇ「ビデオ７」に切り換えることができる。したがって、目的の入力端子への切り換えにかかる時間を短縮することができる。
【００３７】
次に、図６のフローチャートを参照しながら、本実施形態のテレビジョン受像機１００において行われる入力切換処理について説明する。
まず、ステップＳ１において、リモコン装置１において入力切換キー１ｅが操作されたか否かを判断する。ＣＰＵ１６１は、ステップＳ１において、入力切換キー１ｅが操作されたと判断すると（ステップＳ１；Ｙｅｓ）、ステップＳ２において、計時部１６２に、入力切換キー１ｅが操作されてからの経過時間の計時を開始させる。ステップＳ３において、ＣＰＵ１６１は、予め定められた順序に従って、現在選択されている入力端子９１の次の入力端子９１を選択する。そして、ステップＳ４において、ステップＳ３において選択された入力端子９１を表示部１４にＯＳＤ表示する。
ステップＳ５において、ＣＰＵ１６１は、計時部１６２により計時される入力切換キー１ｅが操作されてからの経過時間が所定時間を超えたか否かを判断する。ＣＰＵ１６１は、ステップＳ５において、経過時間が所定時間を超えたと判断すると（ステップＳ５；Ｙｅｓ）、ステップＳ６において、切換部１０に切換指示を出力して、その時点で選択されている入力端子９１に切り換え、本処理を終了する。
【００３８】
一方、ステップＳ５において、ＣＰＵ１６１は、経過時間が所定時間を超えていないと判断すると（ステップＳ５；Ｎｏ）、ステップＳ７において、リモコン装置１において数字キー１ｂが操作されたか否かを判断する。ステップＳ７において、ＣＰＵ１６１は、数字キー１ｂが操作されたと判断すると（ステップＳ７；Ｙｅｓ）、ステップＳ８において、対応メモリ１６４ａを参照し、切換部１０に切換指示を出力して、操作された数字キー１ｂに対応する入力端子９１に切り換え、本処理を終了する。
一方、ステップＳ７において、ＣＰＵ１６１は、数字キー１ｂが操作されていないと判断すると（ステップＳ７；Ｎｏ）、ステップＳ９において、入力切換キー１ｅが操作されたか否かを判断する。そして、入力切換キー１ｅが操作されたと判断すると（ステップＳ９；Ｙｅｓ）、ステップＳ２に戻って以上の処理を繰り返し、入力切換キー１ｅが操作されないと判断すると（ステップＳ９；Ｎｏ）、ステップＳ５に戻って以上の処理を繰り返す。
【００３９】
以上説明した本発明にかかる本実施形態のテレビジョン受像機１００によれば、複数の入力端子９１への切り換えを指示する入力切換キー１ｅと、複数の数字キー１ｂと、が備わり、対応メモリ１６４ａにより、複数の数字キー１ｂと、当該複数の数字キー１ｂに割り当てられた複数の入力端子９１との対応関係が記憶され、選択プログラム１６５ａの実行により、入力切換キー１ｅが操作される度に、複数の入力端子９１が、所定の順序に従って順に選択され、表示プログラム１６５ｂの実行により、選択プログラム１６５ａの実行により選択された入力端子９１に関する情報が表示部１４に表示され、計時プログラム１６５ｃの実行により、入力切換キー１ｅが操作されてからの経過時間が計時され、第１切換プログラム１６５ｄの実行により、計時プログラム１６５ｃの実行により計時される経過時間が所定時間を超えた場合、選択プログラム１６５ａの実行により選択された入力端子９１に切り換えられ、第２切換プログラム１６５ｅの実行により、計時プログラム１６５ｃの実行により計時される経過時間が所定時間を経過する前に数字キー１ｂが操作された場合、対応メモリ１６４ａに基づいて、操作された数字キー１ｂに対応する入力端子９１に切り換えられる。
したがって、入力端子９１の順次切り換えが可能なテレビジョン受像機１００において、入力切換キー１ｅを押下する度にキーの受付を禁止する期間が発生することがなくなるため、連続する入力端子９１の切り換えに要する時間を短縮することができる。
【００４０】
また、表示プログラム１６５ｂの実行により、選択プログラム１６５ａにより選択された入力端子９１に関する情報が表示部１４に表示される。
したがって、ユーザは各時点において選択されている入力端子９１を容易に把握することができ、テレビジョン受像機１００の使い勝手が良いものとなる。
【００４１】
さらに、対応メモリ１６４ａにより、複数の数字キー１ｂと、当該複数の数字キー１ｂに割り当てられた複数の入力端子９１との対応関係が記憶され、第２切換プログラム１６５ｅの実行により、計時プログラム１６５ｃにより計時される経過時間が所定時間を経過する前に数字キー１ｂが操作された場合、対応メモリ１６４ａに基づいて、操作された数字キー１ｂに対応する入力端子９１に切り換えられる。
即ち、入力切換キー１ｅを操作して、当該操作から所定時間が経過する前に目的の入力端子９１に対応する数字キー１ｂを押下すれば、目的の入力端子９１に切り換えられることとなる。したがって、目的の入力端子９１に素早く且つ容易に切り換えることができる。そして、入力切換キー１ｅの連続操作による入力切り換えと併用することにより、テレビジョン受像機１００の使い勝手が更に良いものとなる。
【００４２】
なお、本発明の範囲は上記実施の形態に限られることなく、本発明の趣旨を逸脱しない範囲のおいて種々の改良並びに設計の変更を行っても良い。
例えば、選択プログラム１６５ａの実行による各入力端子９１ａ〜９１ｇの順次選択時に、数字キー１ｂと入力端子９１ａ〜９１ｇの対応関係を示す表を表示部１４にＯＳＤ表示するように構成しても良い。
また、例えば、数字キー１ｂと入力端子９１ａ〜９１ｇの対応関係をユーザが変更できる手段を設けても良い。
更に、本実施形態では、選択プログラム１６５ａの実行において、チューナ６と入力端子９１ａ〜９１ｇの中から順次選択が行われる場合について説明したが、入力端子９１ａ〜９１ｇのみを対象に順次選択を行う構成としても良い。また、ユーザが選択した特定の入力端子９１の中から順次選択を行う構成としても良い。
また、入力切換キーを２つのキーで構成し、両方向への切り換えを可能としても良い。
【図面の簡単な説明】
【００４３】
【図１】本実施形態におけるテレビジョン受像機の全体構成を例示する図である。
【図２】リモコン装置の平面図である。
【図３】本実施形態におけるテレビジョン受像機の要部構成を例示するブロック図である。
【図４】対応メモリを例示する図である。
【図５】各入力端子の順次選択処理を説明するための図である。
【図６】入力切換処理を示すフローチャートである。
【符号の説明】
【００４４】
１００                  テレビジョン受像機（電子機器）
１ｂ                    数字キー
１ｅ                    入力切換キー
９１ａ〜９１ｇ（９１）  入力端子
１０                    切換部（第１切換手段、切換手段、第２切換手段）
１４                    表示部
１６１                  ＣＰＵ（選択手段、表示手段、計時手段、第１切換手段、切換手段、第２切換手段）
１６２                  計時部（計時手段）
１６４ａ                対応メモリ（記憶手段）
１６５ａ                選択プログラム（選択手段）
１６５ｂ                表示プログラム（表示手段）
１６５ｃ                計時プログラム（計時手段）
１６５ｄ                第１切換プログラム（第１切換手段、切換手段）
１６５ｅ                第２切換プログラム（第２切換手段）
【図１】
2009177693.tif 000003
【図２】
2009177693.tif 000004
【図３】
2009177693.tif 000005
【図４】
2009177693.tif 000006
【図５】
2009177693.tif 000007
【図６】
2009177693.tif 000008